(57)【要約】 【課題】  組み立ての際の端子処理が簡単で工数が低減され、かつはんだによる寸法の超過を防止した、面実装型インダクタおよびその製造方法を得る。【解決手段】  プレート状の磁性体コア１１とポット状の磁性体コア１とが組み合わされた磁性体コアと、巻線４と、インダクタ用端子２ａ，２ｂとで構成される面実装型インダクタであって、前記インダクタ用端子は、前記プレート状の磁性体コア１１あるいは、前記ポット状の磁性体コア１のいずれかに配置され、インダクタ用端子２ａ，２ｂは、先端が折り曲げられた、コの字型の形状であって、該コの字型形状の基部には、窓６ａ，６ｂが開けられており、前記巻線４の引き出しワイヤを、前記窓６ａ，６ｂを貫通させコの字型形状の基部にはんだ接続した面実装型インダクタとする。【選択図】  図１
2005251970.tif 000002
【特許請求の範囲】
【請求項１】
プレート状磁性体コアとポット状磁性体コア、あるいは第１のポット状磁性体コアと第２のポット状磁性体コアとが組み合わされた磁性体コアと、巻線と、インダクタ用端子とで構成された面実装型インダクタであって、前記インダクタ用端子は、前記プレート状磁性体コア、あるいは前記ポット状磁性体コアのいずれかに配置され、前記インダクタ用端子は、先端が折り曲げられたコの字型の形状であって、該コの字型形状の基部には、窓が開けられており、前記巻線の引き出しワイヤが、前記窓を貫通し、ついで前記基部と引き出しワイヤとがはんだ処理されたことを特徴とする面実装型インダクタ。
【請求項２】
前記先端部に凹状の切り欠きが設けられ、前記引き出しワイヤが前記凹状の切り欠きに通されていることを特徴とする請求項１記載の面実装型インダクタ。
【請求項３】
プレート状磁性体コアとポット状磁性体コアとを組み合わせて磁性体コアとし、あるいは第１のポット状磁性体コアと第２のポット状磁性体コアとを組み合わせて磁性体コアとし、巻線と、インダクタ用端子とで形成する面実装型インダクタの製造方法であって、前記インダクタ用端子を、先端が折り曲げられた、コの字型の形状とし、コの字型形状の基部に、窓を開け、前記先端に凹状の切り欠きを形成し、前記巻線の引き出しワイヤをあらかじめ、インダクタ用端子の窓に通してから、前記インダクタ用端子を、前記プレート状磁性体コア、あるいは前記ポット状磁性体コアのいずれかに配置し、前記先端の凹状の切り欠きによって、引き出しワイヤを仮固定し、ついでコの字型形状の基部と引き出しワイヤとをはんだ処理することを特徴とする面実装型インダクタの製造方法。
【発明の詳細な説明】
【技術分野】
【０００１】
本発明は、主として携帯端末、電源機器などに使用されるのに好適な、低背型の面実装型インダクタおよびその製造方法に関する。
【背景技術】
【０００２】
従来のインダクタあるいはトランスは、磁性材と巻線と、ボビンとで構成されており、前記ボビンには、端子が配置され、前記巻線の引き出し線が、前記端子に巻かれて、はんだ処理される構成が一般的である。
【０００３】
特許文献１には、インダクダのボビンの端子に巻線の引き出し部が接続された構造が記載されている。
【０００４】
図３は、従来のインダクタ用端子の斜視図である。図３のインダクタ用端子２１ａは、コの字型形状であって、プレート状磁性体コアの側面に差し込まれ、固定されている。ここで、巻線からの取り出しワイヤー５１ａが、はんだ７ａによって、コの字型形状の上面に固定される。
【０００５】
【特許文献１】特開２００２−００８９２６号公報
【発明の開示】
【発明が解決しようとする課題】
【０００６】
従来の面実装型インダクタは、以下の問題点があった。第１の問題点は、巻線からの引き出しワイヤと、端子とを接続する時、引き出しワイヤが浮き上がるという問題点である。また、第２の問題点は、引き出しワイヤの位置が定まらないという問題点である。また、第３の問題点は、引き出しワイヤと端子との接続に用いるはんだの量にばらつきが生じ、これによって、高さ寸法がばらつくという問題点がある。また、第４の問題点は、引き出しワイヤと端子との接続の作業がやりにくいという問題点である。
【０００７】
従って、本発明の目的は、組み立ての際の端子処理が簡単で工数が低減され、かつはんだによる寸法の超過を防止した、面実装型インダクタおよびインダクタ用端子ならびにその製造方法を提供することである。
【課題を解決するための手段】
【０００８】
本発明は、プレート状磁性体コアとポット状磁性体コア、あるいは第１のポット状磁性体コアと第２のポット状磁性体コアとが組み合わされた磁性体コアと、巻線と、インダクタ用端子とで構成された面実装型インダクタにおいて、前記インダクタ用端子は、前記プレート状磁性体コア、あるいは前記ポット状磁性体コアのいずれかに配置され、前記インダクタ用端子は、先端が折り曲げられたコの字型の形状であって、該コの字型形状の基部には、窓が開けられており、前記巻線の引き出しワイヤが、前記窓を貫通し、前記基部と引き出しワイヤとがはんだ処理された面実装型インダクタである。
【０００９】
また、本発明は、プレート状磁性体コアとポット状磁性体コア、あるいは第１のポット状磁性体コアと第２のポット状磁性体コアとを組み合わせた磁性体コアと、巻線と、インダクタ用端子とで形成する面実装型インダクタの製造方法において、前記インダクタ用端子を、先端が折り曲げられた、コの字型の形状とし、コの字型形状の基部に、窓を開け、前記先端部に凹状の切り欠きを設け、前記巻線の引き出しワイヤをあらかじめ、インダクタ用端子の前記窓に通してから、前記インダクタ用端子を、前記プレート状磁性体コア、あるいは前記ポット状磁性体コアのいずれかに配置し、前記先端の凹状の切り欠きによって、引き出しワイヤを仮固定し、ついでコの字型形状の基部と引き出しワイヤとをはんだ処理する面実装型インダクタの製造方法である。
【発明の効果】
【００１０】
本発明によれば、インダクタ用端子によって、（１）ワイヤの位置決めが出来き、また、上面部をくぐらせることで、ワイヤ押さえの作用が有る、（２）側面ではんだ付け出来る窓が設置されているので、はんだ付けが容易であり、又はんだを上面に盛り上がらせないようにできる、（３）インダクタ用端子の折り曲げられた先端部によって、接着なしでインダクタ用端子をコアに取り付けられる、低背型の面実装型インダクタを実現できる。
【００１１】
従って、本発明は、組み立ての際の端子処理が簡単で工数が低減され、かつはんだによる寸法の超過を防止した、面実装型インダクタおよびその製造方法を提供できる。
【発明を実施するための最良の形態】
【００１２】
図１は、本発明の実施の形態による面実装型インダクタの斜視図である。図１の面実装型インダクタは、ポット状磁性体コア１と、プレート状磁性体コア１１と、巻線４（図１（ａ）ではプレート状磁性体コア１１の下側になり、見えない）とインダクタ用端子２ａ、２ｂとで構成されるインダクタであって、インダクタ用端子２ａ、２ｂは、前記磁性材料の、ポット状磁性体コア１の両側に配置されている。
【００１３】
図２は、本発明の実施の形態によるインダクタ用端子の斜視図である。本発明のインダクタ用端子２ａは、先端が折り曲げられたコの字型の形状であって、コの字型形状の基部に窓６ａが開けられたインダクタ用端子である。先端の折り曲げられた部分に凹状の切り欠きが形成されている。前記インダクタ用端子２ａは、前記磁性材料での、プレート状磁性体コアに配置されており、前記巻線の引き出しワイヤ５ａが、前記先端部の凹状切り欠き８を通して、引き出しワイヤ５ａが仮固定されており、前記窓６ａを貫通し、コの字型形状の基部と引き出しワイヤとがはんだ処理されている。  
【００１４】
図２にて、寸法Ａは、先端部の凹状切り欠き８の深さであり、また、寸法Ｂは、引き出しワイヤの外径である。ここで、寸法Ａは、引き出しワイヤの外径である寸法Ｂよりも、大きく設定すると良い。このような寸法にすることにより、引き出しワイヤ５ａを痛めずに、前記先端部の凹状切り欠き８内で仮固定できる。インダクタ用端子の折り曲げられた先端部によって、端子の弾性を効果的に利用でき、接着なしでインダクタ用端子をコアに取り付けることができる。
【００１５】
図１の本発明の面実装型インダクタの製造方法は、以下のごとくである。巻線の引き出しワイヤ５ａを、インダクタ用端子の窓６ａ，６ｂを貫通させてから、前記インダクタ用端子２ａ，２ｂをポット状磁性体コア１に配置する。前記先端部の凹状の切り欠き８によって、引き出しワイヤ５ａが仮固定される。ついでコの字型形状の基部と引き出しワイヤ５ａとをコの字型形状の基部の窓６ａ，６ｂの側面ではんだ処理する。側面ではんだ付け出来る窓６ａ，６ｂが設置されているので、はんだ付けが容易であり、又はんだが上面に盛り上がらせないようにできる。
【００１６】
次に、プレート状磁性体コア１１を組み合わせて磁性体コアとして面実装型インダクタが完成する。図１の例では、インダクタ用端子２ａ，２ｂをポット状磁性体コア１に配置したが、インダクタ用端子２ａ，２ｂをプレート状磁性体コア１１に配置しても良い。
【００１７】
又、はんだ処理を側面から行うことが可能なので、磁性体コアを組み付けた後にはんだ処理することもできる。なお、窓部の上面からはんだ処理を行うことも可能であり、完成品では引き出し線が完全に窓を貫通して外部に出ていなくとも良い。強度的には外部まで貫通している方が良いが、寸法の関係で余分な引き出し線を切断、あるいははんだとともに削ることが必要な場合もある。
【００１８】
なお、図１の例では、プレート状磁性体コア１１とポット状磁性体コア１とを組み合わせたが、この他の例として、第１のポット状磁性体コアと第２のポット状磁性体コアとの組み合わせでも、同様の効果が得られる。
【図面の簡単な説明】
【００１９】
【図１】本発明の実施の形態による面実装型インダクタの斜視図。
【図２】本発明の実施の形態によるインダクタ用端子の斜視図。
【図３】従来のインダクタ用端子の斜視図。
【符号の説明】
【００２０】
１    ポット状磁性体コア  
１１    プレート状磁性体コア         
２ａ，２ｂ，２１ａ    端子
４    巻線
５ａ，５１ａ    （巻線からの）引き出しワイヤー
６ａ，６ｂ    窓
７ａ，７１ａ    はんだ
８    先端部の凹状切り欠き
【図１】
2005251970.tif 000003
【図２】
2005251970.tif 000004
【図３】
2005251970.tif 000005